(57)【要約】【課題】利用者が伏臥状態で利用するときに外部の埃を吸い込むことがないようにしたマットレス装置を提供することにある。【解決手段】矩形状のクッション体６が外装地７によって被覆されたマットレス装置であって、その長手方向の一端部には厚さ方向に貫通する通気孔９が穿設され、通気孔の下端開口には通気孔内に塵埃が入り込むのを阻止するフィルタ部材１５が設けられる。【選択図】      図３
2008035970.tif 000002
【特許請求の範囲】
【請求項１】
矩形状のクッション体が外装地によって被覆されたマットレス装置であって、
その長手方向の一端部には厚さ方向に貫通する通気孔が穿設され、この通気孔の下端開口には上記通気孔内に塵埃が入り込むのを阻止するフィルタ部材が設けられることを特徴とするマットレス装置。
【請求項２】
上記フィルタ部材は着脱可能に設けられることを特徴とする請求項１記載のマットレス装置。
【請求項３】
上記通気孔の上端開口縁は曲面に形成されていることを特徴とする請求項１記載のマットレス装置。
【請求項４】
上記通気孔は上記クッション体に設けられた筒状弾性体によって形成されていることを特徴とする請求項１記載のマットレス装置。
【請求項５】
マットレス装置と、このマットレス装置が載置される載置台を有するベッド装置であって、
上記マットレス装置は長手方向の一端部に厚さ方向に貫通する通気孔が穿設され、この通気孔の下端開口には上記通気孔内に塵埃が入り込むのを阻止するフィルタ部材が設けられ、
上記載置台には上記通気孔に連通する連通孔が形成されていることを特徴とするベッド装置。
【発明の詳細な説明】
【技術分野】
【０００１】
この発明は利用者が下を向いた伏臥状態で就寝したり、背面にマッサージを受ける場合などに好適するマットレス装置及びそのマットレス装置が用いられたベッド装置に関する。
【背景技術】
【０００２】
マットレス装置を利用して就寝する場合、利用者によっては上を向いた仰臥状態よりも、下を向いた伏臥状態で就寝することを好む場合があり、またマットレス装置上で身体の背面にマッサージを受ける場合、利用者は伏臥姿勢をとることになる。
【０００３】
利用者がマットレス装置上で伏臥姿勢をとると、顔面がマットレス装置の上面によって圧迫されるため不快であったり、呼吸がし難くなるなどのことがある。
【０００４】
そこで、利用者が伏臥姿勢をとったときに、顔面が圧迫されることがないようにするため、特許文献１に示す構成のクッション用具が提案されている。特許文献１に示されたクッション用具はその一部に顔面が挿入されるクッション性を有する凹部を設け、この凹部には側部又は底部から連通する通気孔或いはパイプを設けるようにしている。
【０００５】
それによって、伏臥姿勢をとって上記凹部に顔面を挿入しても、凹部が外部に連通しているため、呼吸がし難くなるのを防止するようにしている。
【特許文献１】特開２００４−３５１２１７号公報
【発明の開示】
【発明が解決しようとする課題】
【０００６】
特許文献１に示されるように、凹部の側部又は底部から連通する通気孔或いはパイプを設ければ、上記凹部の通気性を確保することができる。しかしながら、利用者が顔面を凹部に挿入した状態で呼吸すると、利用者は上記通気孔或いはパイプを通じて上記凹部内に入り込む塵埃を吸い込むということがあり、好ましくなかった。
【０００７】
この発明は、利用者が伏臥姿勢で利用した場合に、顔面が圧迫されず、しかも呼吸がし難くなることがないばかりか、塵埃を吸い込むことがないようにしたマットレス装置及びそのマットレス装置が用いられたベッド装置を提供することにある。
【課題を解決するための手段】
【０００８】
この発明は、矩形状のクッション体が外装地によって被覆されたマットレス装置であって、
その長手方向の一端部には厚さ方向に貫通する通気孔が穿設され、この通気孔の下端開口には上記通気孔内に塵埃が入り込むのを阻止するフィルタ部材が設けられることを特徴とするマットレス装置にある。
【０００９】
上記フィルタ部材は着脱可能に設けられることが好ましい。
【００１０】
上記通気孔の上端開口縁は曲面に形成されていることが好ましい。
【００１１】
上記通気孔は上記クッション体に設けられた筒状弾性体によって形成されていることが好ましい。
【００１２】
この発明は、マットレス装置と、このマットレス装置が載置される載置台を有するベッド装置であって、
上記マットレス装置は長手方向の一端部に厚さ方向に貫通する通気孔が穿設され、この通気孔の下端開口には上記通気孔内に塵埃が入り込むのを阻止するフィルタ部材が設けられ、
上記載置台には上記通気孔に連通する連通孔が形成されていることを特徴とするベッド装置にある。
【発明の効果】
【００１３】
この発明によれば、マットレス装置の長手方向一端部に厚さ方向に貫通する通気孔を形成し、この通気孔の下端開口にフィルタ部材を設けたから、利用者が伏臥して顔面を上記通気孔の上端開口の部分に押し当てて呼吸しても、外部の塵埃が上記通気孔内に入り込むことがないから、快適な状態で呼吸することができる。
【発明を実施するための最良の形態】
【００１４】
以下、この発明の一実施の形態を図面を参照して説明する。
【００１５】
図１はベッド装置を示し、このベッド装置は載置台１を備えている。この載置台１は矩形状の載置板２を有し、この載置板はその四隅部下面に設けられた脚体３によって所定の高さで水平に支持されている。
【００１６】
上記載置台１にはマットレス装置５が載置されている。このマットレス装置５はウレタンフォームなどの弾性材料によって所定の厚さを有する板状に形成されたクッション体６と、このクッション体６を被覆した外装地７とによって形成されている。
【００１７】
図３に示すように、上記マットレス装置５の長手方向一端部には、ウレタンフォームなどの弾性材料によってクッション体６とほぼ同じ厚さ寸法に形成された筒状弾性体１１が設けられている。この筒状弾性体１１は、図５（ａ），（ｂ）に示すように断面形状が楕円状の通気孔９が厚さ方向に貫通して形成されている。なお、上記外装地７の上鏡地７ａ及び下鏡地７ｂの上記通気孔９の上下面に対応する部分は開口されている。
【００１８】
上記通気孔９の内周面は断面が楕円形状の筒状布地１２によって被覆されている。この筒状布地１２は、長さ寸法が上記クッション体６の厚さ寸法よりも短く設定されていて、上端は上記外装地７の上鏡地７ａの通気孔９と対応する部分に形成された開口の周縁に縫合され、下端には第１のファスナ１２ａが全周にわたって縫着されている。
【００１９】
上記外装地７の下鏡地７ｂの上記通気孔９に対応して形成された開口の周縁には第２のファスナ１２ｂが楕円形状に縫着されている。そして、上記第１のファスナ１２ａは上記第２のファスナ１２ｂに連結される。
【００２０】
上記筒状布地１２は長さ寸法がクッション体６の厚さ寸法よりも短く設定されている。そのため、上記第１のファスナ１２ａを上記第２のファスナ１２ｂに連結するとき、筒状布地１２を下方へ引っ張ることによって、上記第１、第２のファスナ１２ａ，１２ｂを連結する。
【００２１】
それによって、上記筒状弾性体１１の通気孔９の上端縁の部分が円弧状に弾性変形するから、上記通気孔９の上端開口縁が曲面１３となる。なお、筒状弾性体１１の上端部を下端部よりも柔らかな弾性材料によって形成すれば、第１、第２のファスナ１２ａ，１２ｂを連結したときに、上記筒状弾性体１１の上端部である、通気孔９の上端開口縁に曲面１３を確実に形成することができる。
【００２２】
上記通気孔９の下端開口にはフィルタ部材１５が着脱可能に設けられている。このフィルタ部材１５は、図３と図４に示すように、メッシュ状の布地によって縫製された扁平状の袋１６に、布地や紙材などのフィルタシート１７が収納されていて、その一側面の周辺部には第１の面状ファスナ１８が周方向の全長にわたって矩形状に設けられている。
【００２３】
上記マットレス装置５の下面の上記通気孔９の周辺部には第２の面状ファスナ１９が第１の面状ファスナ１８と対応して矩形状に設けられている。それによって、上記フィルタ部材１５は、第１の面状ファスナ１８を第２の面状ファスナ１９に係着させることで、上記マットレス装置５の下面に着脱可能に設けられている。
【００２４】
なお、第１、第２の面状ファスナ１８，１９を矩形状に設けたことで、フィルタ部材１５の周辺部が全長にわたってマットレス装置５の下面に係着保持される。それによって、通気孔９の下面開口はフィルタ部材１５によって確実に閉塞されるから、フィルタ部材１５を通過した外気だけが通気孔９の下面開口からその内部に入り込む。
【００２５】
図１に示すように、上記載置台１の載置板２には、上記マットレス装置５の通気孔９に対応する位置に連通孔２１が厚さ方向に貫通して形成されている。それによって、上記通気孔９は上記フィルタ部材１５を介して載置板２の下面側の外気に連通している。
【００２６】
上記構成のベッド装置において、図１に鎖線で示すように利用者Ｕがマットレス装置５の上面に伏臥する場合、顔面を上記マットレス装置５の長手方向の一端部に開口形成された通気孔９の部分に押し当てる。つまり、通気孔９内に鼻と口とが位置するよう、顔面を押し当てる。
【００２７】
上記通気孔９は載置板２に形成された連通孔２１に連通している。それによって、通気孔９は外部に連通しているから、楽に呼吸することができる。しかも、通気孔９の下端開口にはフィルタ部材１５が設けられている。そのため、そのフィルタ部材１５によって、外部の塵埃が通気孔９の下端開口内部に流入するのが阻止されるから、利用者Ｕは清浄な空気だけを吸引することができる。
【００２８】
上記通気孔９の上端開口縁は筒状布地１２によって曲面１３に形成されている。そのため、利用者Ｕが顔面を通気孔９の部分に押し当てたとき、顔面には通気孔９の開口縁の曲面１３が当たるから、エッジが当たる場合のように利用者Ｕに不快感を与えるということがない。
【００２９】
上記フィルタ部材１５はマットレス装置５の下面に着脱可能に設けられている。そのため、マットレス装置５の下面からフィルタ部材１５を取り外し、通気孔９に、図６（ａ），（ｂ）に示す、上記通気孔９とほぼ同じ形状に形成された詰め物２３を挿入すれば、伏臥用でなく、仰臥用のマットレス装置５として使用することができる。
【００３０】
なお、上記詰め物２３はウレタンフォームなどの弾性材２４をファスナ２５ａによって開閉可能な袋状に縫製された布地２５で被覆して形成されている。弾性材２４は硬さの異なる三層２４ａ〜２４ｃ構造となっていて、最も柔らかな層２４ａを上にすれば、利用者Ｕに快適な感触を与え、詰め物２３による不快感を与えることがない。
【００３１】
上記一実施の形態ではマットレス装置のクッション体がウレタンフォームで形成されている場合について説明したが、クッション体はプリングユニットであっても差し支えない。
【００３２】
マットレス装置に形成される通気孔の断面形状は楕円形に限定されず、三角形状や円形状などであってもよく、要は伏臥した利用者が顔面を押し当てたときに、鼻と口の部分がマットレス装置の上面で圧迫されず、通気孔によって開放される形状であればよい。
【図面の簡単な説明】
【００３３】
【図１】この一実施の形態を示すベッド装置の正面図。
【図２】上記ベッド装置に用いられるマットレス装置の平面図。
【図３】マットレス装置の通気孔が形成された部分の拡大断面図。
【図４】上記開口部に設けられるフィルタ部材の一部断面した平面図。
【図５】（ａ）は開口部を形成するためにマットレス装置のクッション体に設けられる筒状弾性体の平面図、（ｂ）は一部断面した側面図。
【図６】（ａ）は開口部に装填される詰め物の平面図、（ｂ）は同じく外装地の一部を除去した側面図。
【符号の説明】
【００３４】
１…載置台、２…載置板、５…マットレス装置、７…外装地、９…通気孔、１１…筒状弾性体、１３…曲面、１５…フィルタ部材、２３…詰め物。
【図１】
2008035970.tif 000003
【図２】
2008035970.tif 000004
【図３】
2008035970.tif 000005
【図４】
2008035970.tif 000006
【図５】
2008035970.tif 000007
【図６】
2008035970.tif 000008